(57)【特許請求の範囲】
【請求項１】
（ａ）染色無香又は染色芳香であるロウソクの蝋、並びに
（ｂ）安定化有効量の
（ｉ）ベンゾトリアゾール、ベンゾフェノン又はｓ−トリアジンである、ＵＶ吸収剤、及び
（ii）Ｎ原子においてアルコキシ、シクロアルコキシ若しくはヒドロキシ置換アルコキシ基で置換されているヒンダードアミン又は前記ヒンダードアミンの混合物、の組み合わせであり、
（ｉ）の（ii）に対する重量比が１０：１〜１：１０である組み合わせ、
を含む組成物。
【請求項２】
（ｉ）の（ii）に対する重量比が４：１〜１：４である、請求項１記載の組成物。
【請求項３】
ロウソクの蝋中のＵＶ吸収剤とヒンダートアミンの有効量が、蝋に基づき０．０１〜１０重量％である、請求項１又は２記載の組成物。
【請求項４】
ＵＶ吸収剤が、
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−tert−オクチルフェニル）−２Ｈ−ベンゾトリアゾール；
（ｅ）２−（２−ヒドロキシ−３，５−ジ−tert−アミルフェニル）−２Ｈ−ベンゾトリアゾール；
（ｆ）オクチル３−（ベンゾトリアゾール−２−イル）−５−tert−ブチル−４−ヒドロキシヒドロシンナマート；
（ｇ）２−（２−ヒドロキシ−３，５−ジ−tert−ブチルフェニル）−２Ｈ−ベンゾトリアゾール；
（ｈ）２−（２−ヒドロキシ−５−tert−ブチルフェニル）−２Ｈ−ベンゾトリアゾール；
（ｉ）５−クロロ−２−（２−ヒドロキシ−３，５−ジ−tert−ブチルフェニル）−２Ｈ−ベンゾトリアゾール；
（ｊ）５−クロロ−２−（２−ヒドロキシ−３−tert−ブチル−５−メチルフェニル）−２Ｈ−ベンゾトリアゾール；
（ｋ）２−（２−ヒドロキシ−３−sec−ブチル−５−tert−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−〔２−ヒドロキシ−３，５−ジ（α，α−ジメチルベンジル）フェニル〕−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（オメガ−ヒドロキシ−オクタ（エチレンオキシ）カルボニル）エチル〕フェニル｝−２Ｈ−ベンゾトリアゾール；
（ｑ）２−｛２−ヒドロキシ−３−tert−ブチル−５−〔２−（オクチルオキシ）カルボニル）エチル〕フェニル｝−２Ｈ−ベンゾトリアゾール；
（ｓ）４−メトキシ−２，２′−ジヒドロキシベンゾフェノン；
（ｔ）４，４′−ジメトキシ−２，２′−ジヒドロキシベンゾフェノン；
（ｕ）２，４−ビス（２，４−ジメチルフェニル）−６−（２−ヒドロキシ−４−オクチルオキシフェニル）−ｓ−トリアジン；
（ｖ）２，４−ジフェニル−６−（２−ヒドロキシ−４−ヘキシルオキシフェニル）−ｓ−トリアジン；
（ｗ）２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン；又は
（ｘ）２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジンである、請求項１〜３のいずれか１項記載の組成物。
【請求項５】
成分（ii）のヒンダードアミンが、
（ａ）ビス（１−オクチルオキシ−２，２，６，６−テトラメチルピペリジン−４−イル）セバカート；
（ｂ）ビス（１−シクロヘキシルオキシ−２，２，６，６−テトラメチルピペリジン−４−イル）セバカート；
（ｃ）１−シクロヘキシルオキシ−２，２，６，６−テトラメチル−４−オクタデシルアミノピペリジン；
（ｄ）２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン；
（ｅ）ビス（１−シクロヘキシルオキシ−２，２，６，６−テトラメチルピペリジン−４−イル）アジパート；
（ｆ）２−クロロ−４，６−ビス（ジブチルアミノ）−ｓ−トリアジンでエンドキャップされている、４，４′−ヘキサメチレンビス（アミノ−２，２，６，６−テトラメチルピペリジン）と２，４−ジクロロ−６−〔（１−オクチルオキシ−２，２，６，６−テトラメチルピペリジン−４−イル）ブチルアミノ〕−ｓ−トリアジンの縮合生成物であるオリゴマー化合物；
（ｇ）２−クロロ−４，６−ビス（ジブチルアミノ）−ｓ−トリアジンでエンドキャップされている、４，４′−ヘキサメチレンビス（アミノ−２，２，６，６−テトラメチルピペリジン）と２，４−ジクロロ−６−〔（１−シクロヘキシルオキシ−２，２，６，６−テトラメチルピペリジン−４−イル）ブチルアミノ〕−ｓ−トリアジンの縮合生成物であるオリゴマー化合物；
（ｈ）１−メトキシ−４−ヒドロキシ−２，２，６，６−テトラメチルピペリジン；
（ｉ）１−オクチルオキシ−４−ヒドロキシ−２，２，６，６−テトラメチルピペリジン；
（ｊ）１−シクロヘキシルオキシ−４−ヒドロキシ−２，２，６，６−テトラメチルピペリジン；
（ｋ）１−メトキシ−４−オキソ−２，２，６，６−テトラメチルピペリジン；
（ｌ）１−オクチルオキシ−４−オキソ−２，２，６，６−テトラメチルピペリジン；
（ｍ）１−シクロヘキシルオキシ−４−オキソ−２，２，６，６−テトラメチルピペリジン；
（ｎ）ビス（１−ヘプチルオキシ−２，２，６，６−テトラメチルピペリジン−４−イル）セバカート；
（ｏ）ビス（１−ノニルオキシ−２，２，６，６−テトラメチルピペリジン−４−イル）セバカート；
（ｐ）ビス（１−ドデシルオキシ−２，２，６，６−テトラメチルピペリジン−４−イル）セバカート；又は
（ｑ）Ｎ，Ｎ′，Ｎ″，Ｎ′″−テトラキス〔（４，６−ビス（ブチル−１−オクチルオキシ−２，２，６，６−テトラメチルピペリジン−４−イル）アミノ−ｓ−トリアジン−２−イル〕−１，１０−ジアミノ−４，７−ジアザデカンである、請求項１〜４のいずれか１項記載の組成物。
【請求項６】
フェノール性酸化防止剤、ホスファイト若しくはヒドロキシルアミン又はこれらの混合物である酸化防止剤をさらに含む、請求項１〜５のいずれか１項記載の組成物。
【発明の詳細な説明】
【０００１】
本発明は、ＵＶ吸収剤、好ましくはベンゾトリアゾールと、Ｎ原子においてアルコキシ、シクロアルキル又はヒドロキシ置換アルコキシ基で置換されているヒンダードアミンとの組み合わせにより安定化されているロウソクの蝋を含有する組成物に関する。
【０００２】
ロウソクは、紀元前８世紀に遡ること数十世紀にわたり知られている。ロウソクの性質は、Ullmann's Encyclopedia of Industrial Chemistry, Volume A5、29-30 頁に記載され、そこでは、ロウソクが基本材料としてパラフィン、ミツロウ及びステアリンから製造され、そして添加剤の一群も存在できることが示されている。
【０００３】
ロウソク及び蝋（ワックス）の重要性が高まるにしたがい、前記の材料を安定化する方法が注目されたことは驚くべきことではない。１９９４年のヒューストンにおける全国ロウソク協会会議（National Candle Association Meeting）で、 R. van der Vennetが "Antioxidants in Wax - Replacement of BHT" と題する論文を発表し、蝋が酸化した場合の黄変を防ぐ酸化防止剤としてビタミンＥ（トコフェロール）の使用を大いに推奨した。WO 94/13736 は、同じ発明を記載している。
【０００４】
EP 359,488 A3 及び EP 133,964 B1は、ワックスがロウソクに使用されているものと同一又は同様である、化粧品に使用されている安定化ワックスを記載している。
【０００５】
EP 5,922 A1 は、ワックスが口紅に有用であり、ロウソクに有用なものと関連する、唇用化粧品を記載している。
【０００６】
米国特許第５，８７９，６９４号は、透明なロウソクゲルの組成及び構造の両方を詳細に記載している。酸化防止剤としてのＢＨＴの使用が記載されている。
【０００７】
１９９８年４月１６日の全国ロウソク協会技術会議（National Candle Association Technical Meeting）において、F. A. Ballentineらが、"Inhibiting Color Fading of Dyed Candles with CYASORB（登録商標) Light Absorbers" と題する論文を発表し、そこで、染色ロウソクの蝋の色安定性に対する光吸収剤の効果に関するデータと共に熱酸化及び光崩壊の一般理論が議論された。比較された光吸収剤は、４−オクチルオキシ−２−ヒドロキシベンゾフェノン（ＵＶ−５３１）；４−メトキシ−２−ヒドロキシベンゾフェノン（ＵＶ−９）；２−（２−ヒドロキシ−５−メチルフェニル−２Ｈ−ベンゾトリアゾール（ＵＶ−５３６５）：２−（２−ヒドロキシ−５−tert−オクチルフェニル）−２Ｈ−ベンゾトリアゾール（ＵＶ−５４１１）及び２−（２−ヒドロキシ−３，５−ジ−tert−アミルフェニル）−２Ｈ−ベンゾトリアゾール（ＵＶ−２３３７）である。
【０００８】
米国特許第５，９６４，９０５号は、トリブロックコポリマー及び高引火点の炭化水素油を含有する染色芳香ロウソクゲルを教示している。この文献は、可視光線又は紫外線に暴露された場合、ロウソクの色の保存性を向上させるために光（ＵＶ）吸収剤が使用されることを教示している。２個の好ましい吸収剤は、エチルヘキシルｐ−メトキシシンナマート（PARSOL（登録商標）MCX、Roche社製）及び２−（２−ヒドロキシ−５−tert−オクチルフェニル）−２Ｈ−ベンゾトリアゾール（CYASORB（登録商標）5411、Cytec社製）である。
【０００９】
本発明の１つの目的は、ＵＶ吸収剤とＮ原子においてアルコキシ、シクロアルコキシ又はヒドロキシ置換アルコキシ基で置換されているヒンダードアミンにより安定化されている、白色、染色、浸染、無香及び／又は芳香であるロウソクの蝋を提供することである。
【００１０】
本発明は、
（ａ）白色、染色、浸染、無香及び／又は芳香であるロウソクの蝋、並びに
（ｂ）安定化有効量の
（ｉ）ＵＶ吸収剤、及び
（ii）Ｎ原子においてアルコキシ、シクロアルコキシ若しくはヒドロキシ置換アルコキシ基で置換されているヒンダードアミン又は前記ヒンダードアミンの混合物との組み合わせであり、
（ｉ）の（ii）に対する重量比が１０：１〜１：１０、好ましくは４：１〜１：４、最も好ましくは２：１〜１：２である組み合わせ、
を含む組成物に関する。
【００１１】
ロウソクの蝋中のＵＶ吸収剤とヒンダードアミンの有効量は、蝋に基づき０．０１〜１０重量％、好ましくは０．１〜２重量％、最も好ましくは０．１〜０．５重量％である。
【００１２】
好ましくは、成分（ｉ）のＵＶ吸収剤は、ベンゾトリアゾール、ベンゾフェノン、α−シアノアクリラート、オキサニリド、ｓ−トリアジン、シンナマート、マロナート、ベンゾアート若しくはサリチラート、又はこれらの混合物である。
【００１３】
最も好ましい成分（ｉ）のＵＶ吸収剤は、ベンゾトリアゾール、ベンゾフェノン又はｓ−トリアジンであり、特にベンゾトリアゾールである。
【００１４】
ＵＶ吸収剤は、化学線への暴露により引き起こされる崩壊から基質を安定化させる分野において周知である。ロウソクに有利に使用されるＵＶ吸収剤の例には下記が含まれる：
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−tert−オクチルフェニル）−２Ｈ−ベンゾトリアゾール；
（ｅ）２−（２−ヒドロキシ−３，５−ジ−tert−アミルフェニル）−２Ｈ−ベンゾトリアゾール；
（ｆ）オクチル３−（ベンゾトリアゾール−２−イル）−５−tert−ブチル−４−ヒドロキシヒドロシンナマート；
（ｇ）２−（２−ヒドロキシ−３，５−ジ−tert−ブチルフェニル）−２Ｈ−ベンゾトリアゾール；
（ｈ）２−（２−ヒドロキシ−５−tert−ブチルフェニル）−２Ｈ−ベンゾトリアゾール；
（ｉ）５−クロロ−２−（２−ヒドロキシ−３，５−ジ−tert−ブチルフェニル）−２Ｈ−ベンゾトリアゾール；
（ｊ）５−クロロ−２−（２−ヒドロキシ−３−tert−ブチル−５−メチルフェニル）−２Ｈ−ベンゾトリアゾール；
（ｋ）２−（２−ヒドロキシ−３−sec−ブチル−５−tert−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−〔２−ヒドロキシ−３，５−ジ（α，α−ジメチルベンジル）フェニル〕−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（オメガ−ヒドロキシ−オクタ（エチレンオキシ）カルボニル）エチル〕フェニル｝−２Ｈ−ベンゾトリアゾール；
（ｑ）２−｛２−ヒドロキシ−３−tert−ブチル−５−〔２−（オクチルオキシ）カルボニル）エチル〕フェニル｝−２Ｈ−ベンゾトリアゾール；
（ｒ）２−エチルヘキシルｐ−メトキシシンナマート；
（ｓ）４−メトキシ−２，２′−ジヒドロキシベンゾフェノン；
（ｔ）４，４′−ジメトキシ−２，２′−ジヒドロキシベンゾフェノン；
（ｕ）２，４−ビス（２，４−ジメチルフェニル）−６−（２−ヒドロキシ−４−オクチルオキシフェニル）−ｓ−トリアジン；
（ｖ）２，４−ジフェニル−６−（２−ヒドロキシ−４−ヘキシルオキシフェニル）−ｓ−トリアジン；
（ｗ）２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン；及び
（ｘ）２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン。
【００１５】
好ましくは、ＵＶ吸収剤は、
（ａ）４−オクチルオキシ−２−ヒドロキシベンゾフェノン；
（ｂ）４−メトキシ−２−ヒドロキシベンゾフェノン；
（ｄ）２−（２−ヒドロキシ−５−tert−オクチルフェニル）−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（オメガ−ヒドロキシ−オクタ（エチレンオキシ）カルボニル）エチル〕フェニル｝−２Ｈ−ベンゾトリアゾール；又は
（ｑ）２−｛２−ヒドロキシ−３−tert−ブチル−５−〔２−（オクチルオキシ）カルボニル）エチル〕フェニル｝−２Ｈ−ベンゾトリアゾールである。
【００１６】
Ｎ原子においてアルコキシ又はシクロアルコキシ基で置換されているヒンダードアミンは、当該技術において周知である。これらは、米国特許第５，２０４，４７３号に詳細に記載され、関連部分は参考として本明細書に組み込まれる。
【００１７】
本発明に有用な、Ｎ原子においてアルコキシ又はシクロアルコキシ基で置換されているヒンダードアミンには、下記が含まれる：
（ａ）ビス（１−オクチルオキシ−２，２，６，６−テトラメチルピペリジン−４−イル）セバカート；
（ｂ）ビス（１−シクロヘキシルオキシ−２，２，６，６−テトラメチルピペリジン−４−イル）セバカート；
（ｃ）１−シクロヘキシルオキシ−２，２，６，６−テトラメチル−４−オクタデシルアミノピペリジン；
（ｄ）２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン；
（ｅ）ビス（１−シクロヘキシルオキシ−２，２，６，６−テトラメチルピペリジン−４−イル）アジパート；
（ｆ）２−クロロ−４，６−ビス（ジブチルアミノ）−ｓ−トリアジンでエンドキャップされている、４，４′−ヘキサメチレンビス（アミノ−２，２，６，６−テトラメチルピペリジン）と２，４−ジクロロ−６−〔（１−オクチルオキシ−２，２，６，６−テトラメチルピペリジン−４−イル）ブチルアミノ〕−ｓ−トリアジンの縮合生成物であるオリゴマー化合物；
（ｇ）２−クロロ−４，６−ビス（ジブチルアミノ）−ｓ−トリアジンでエンドキャップされている、４，４′−ヘキサメチレンビス（アミノ−２，２，６，６−テトラメチルピペリジン）と２，４−ジクロロ−６−〔（１−シクロヘキシルオキシ−２，２，６，６−テトラメチルピペリジン−４−イル）ブチルアミノ〕−ｓ−トリアジンの縮合生成物であるオリゴマー化合物；
（ｈ）１−メトキシ−４−ヒドロキシ−２，２，６，６−テトラメチルピペリジン；
（ｉ）１−オクチルオキシ−４−ヒドロキシ−２，２，６，６−テトラメチルピペリジン；
（ｊ）１−シクロヘキシルオキシ−４−ヒドロキシ−２，２，６，６−テトラメチルピペリジン；
（ｋ）１−メトキシ−４−オキソ−２，２，６，６−テトラメチルピペリジン；
（ｌ）１−オクチルオキシ−４−オキソ−２，２，６，６−テトラメチルピペリジン；
（ｍ）１−シクロヘキシルオキシ−４−オキソ−２，２，６，６−テトラメチルピペリジン；
（ｎ）ビス（１−ヘプチルオキシ−２，２，６，６−テトラメチルピペリジン−４−イル）セバカート；
（ｏ）ビス（１−ノニルオキシ−２，２，６，６−テトラメチルピペリジン−４−イル）セバカート；
（ｐ）ビス（１−ドデシルオキシ−２，２，６，６−テトラメチルピペリジン−４−イル）セバカート；又は
（ｑ）Ｎ，Ｎ′，Ｎ″，Ｎ′″−テトラキス〔（４，６−ビス（ブチル−１−オクチルオキシ−２，２，６，６−テトラメチルピペリジン−４−イル）−アミノ−ｓ−トリアジン−２−イル〕−１，１０−ジアミノ−４，７−ジアザデカン。
【００１８】
Ｎ原子においてヒドロキシ置換アルコキシ基で置換されているヒンダードアミンは、GB 2347928 に記載され、その関連部分も参考として本明細書に組み込まれる。
【００１９】
本発明に有用な、Ｎ原子においてヒドロキシ置換アルコキシ基で置換されているヒンダードアミンには、下記が含まれる：
（ａ）１−（２−ヒドロキシ−２−メチルプロポキシ）−４−オクタデカノイルオキシ−２，２，６，６−テトラメチルピペリジン；
（ｂ）１−（２−ヒドロキシ−２−メチルプロポキシ）−４−ヒドロキシ−２，２，６，６−テトラメチルピペリジン；
（ｃ）１−（２−ヒドロキシ−２−メチルプロポキシ）−４−オキソ−２，２，６，６−テトラメチルピペリジン；
（ｄ）ビス（１−（２−ヒドロキシ−２−メチルプロポキシ）−２，２，６，６−テトラメチルピペリジン−４−イル）セバカート；
（ｅ）ビス（１−（２−ヒドロキシ−２−メチルプロポキシ）−２，２，６，６−テトラメチルピペリジン−４−イル）アジパート；
（ｆ）ビス（１−（２−ヒドロキシ−２−メチルプロポキシ）−２，２，６，６−テトラメチルピペリジン−４−イル）スクシナート；
（ｇ）ビス（１−（２−ヒドロキシ−２−メチルプロポキシ）−２，２，６，６−テトラメチルピペリジン−４−イル）グルタラート；及び
（ｈ）２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジン。
【００２０】
最も好ましい組成物は、成分（ｉ）がオクチル３−（ベンゾトリアゾール−２−イル）−５−tert−ブチル−４−ヒドロキシヒドロシンナマートであり、成分（ii）がビス（１−オクチルオキシ−２，２，６，６−テトラメチルピペリジン−４−イル）セバカートである。
【００２１】
Ｎ−アルコキシ又はシクロヘキシルオキシ置換ヒンダードアミンの混合物、Ｎ−ヒドロキシ−アルコキシ置換ヒンダードアミンの混合物及びこれらの２種のヒンダードアミンの混合物を本発明に使用することができることも考慮された。事実、Ｎ原子が水素、アルキル、アシル等で置換されている従来のヒンダードアミンと共にこの種のヒンダードアミンの混合物も本発明に有用であると考慮される。
【００２２】
更に、安定化されたロウソクの蝋の組成物は、酸化防止剤を含んでもよい。
【００２３】
好ましくは、フェノール性酸化防止剤、ホスファイト又はヒドロキシルアミンのような酸化防止剤である。
【００２４】
ヒンダードアミン及び酸化防止剤と組み合わせたＵＶ吸収剤の、ロウソクの蝋中の有効量は、蝋に基づき０．０１〜１０重量％、好ましくは蝋に基づき０．１〜２重量％、最も好ましくは蝋に基づき０．１〜０．５重量％である。
【００２５】
そのようなフェノール性酸化防止剤及びヒドロキシルアミンの例には下記が含まれる：
ｎ−オクタデシル３，５−ジ−tert−ブチル−４−ヒドロキシヒドロシンナマート、
ネオペンタンテトライルテトラキス（３，５−ジ−tert−ブチル−４−ヒドロキシヒドロシンナマート）、
ジ−ｎ−オクタデシル３，５−ジ−tert−ブチル−４−ヒドロキシベンジルホスホナート、
１，３，５−トリス（３，５−ジ−tert−ブチル−４−ヒドロキシベンジル）イソシアヌラート、
チオジエチレンビス（３，５−ジ−tert−ブチル−４−ヒドロキシヒドロシンナマート）、
１，３，５−トリメチル−２，４，６−トリス（３，５−ジ−tert−ブチル−４−ヒドロキシベンジル）ベンゼン、
３，６−ジオキサオクタメチレンビス（３−メチル−５−tert−ブチル−４−ヒドロキシヒドロシンナマート）、
２，６−ジ−tert−ブチル−ｐ−クレゾール、
２，２′−エチリデン−ビス（４，６−ジ−tert−ブチルフェノール）、
１，３，５−トリス（２，６−ジメチル−４−tert−ブチル−３−ヒドロキシベンジル）イソシアヌラート、
１，１，３−トリス（２−メチル−４−ヒドロキシ−５−tert−ブチルフェニル）ブタン、
１，３，５−トリス〔２−（３，５−ジ−tert−ブチル−４−ヒドロキシヒドロシンナモイルオキシ）エチル〕イソシアヌラート、
３，５−ジ（３，５−ジ−tert−ブチル−４−ヒドロキシベンジ）メシトール、
ヘキサメチレンビス（３，５−ジ−tert−ブチル−４−ヒドロキシヒドロシンナマート）、
１−（３，５−ジ−tert−ブチル−４−ヒドロキシアニリノ）−３，５−ジ（オクチルチオ）−ｓ−トリアジン、
Ｎ，Ｎ′−ヘキサメチレンビス（３，５−ジ−tert−ブチル−４−ヒドロキシヒドロシンナマート）、
カルシウムビス（エチル３，５−ジ−tert−ブチル−４−ヒドロキシベンジルホスホナート）、
エチレンビス〔３，３−ジ（３−tert−ブチル−４−ヒドロキシフェニル）ブチラート〕、
オクチル３，５−ジ−tert−ブチル−４−ヒドロキシベンジルメルカプトアセタート、
ビス（３，５−ジ−tert−ブチル−４−ヒドロキシヒドロシンナモイル）ヒドラジト、
Ｎ，Ｎ′−ビス〔２−（３，５−ジ−tert−ブチル−４−ヒドロキシヒドロシンナモイルオキシ）エチル〕オキサミド、及び
ジ（水素化牛脂）アミンを、直接酸化して調製したＮ，Ｎ−ジアルキルヒドロキシルアミン。
【００２６】
最も好ましいフェノール性酸化防止剤は、
ネオペンタンテトライルテトラキス（３，５−ジ−tert−ブチル−４−ヒドロキシヒドロシンナマート）、
ｎ−オクタデシル３，５−ジ−tert−ブチル−４−ヒドロキシヒドロシンナマート、
１，３，５−トリメチル−２，４，６−トリス（３，５−ジ−tert−ブチル−４−ヒドロキシベンジル）ベンゼン、
１，３，５−トリス（３，５−ジ−tert−ブチル−４−ヒドロキシベンジル）イソシアヌラート、
２，６−ジ−tert−ブチル−ｐ−クレゾール、又は
２，２′−エチリデン−ビス（４，６−ジ−tert−ブチルフェノール）である。
【００２７】
ロウソクが多様な一群の成分を含むことに注意すべきである。基材は下記により構成され得る：
パラフィンワックス、
天然油、
ポリアミドと脂肪酸／エステル、
脂肪酸、例えばステアリン、
乳白剤、
ミツロウ、
グリセリドと酸化ワックス、
アルコール類、及び
エチレンオリゴマー。
ロウソクは、また、数個の添加剤を含み、例えば下記である：
離型剤、
香料、
防虫剤又は殺虫剤、
硬化剤、
結晶改質剤、
清澄剤、
垂れ減少剤、
着色剤、
ｆ．ｐ．制御剤、
伸縮性向上剤、
ゲル化剤、
押出助剤、及び
渦減少剤。
【００２８】
種々の成分は、それぞれ、正常な燃焼を保証する、チャネリングを減少する、均一溶融を援助する等のためにロウソクの性質を制御又は改質することを意図している。着色剤及び香料が、適切な色、香り又は他の美観に訴えるために付与されることは明白である。
【００２９】
ロウソクは芳香、若しくは無香であるか、染色若しくは白色（石油ワックスの天然色）若しくは着色された白色であるか、又は配合ワックスの溶液に浸され、そのためロウソクの外側のみに前記の配合ワックスの被覆が存在する。
【００３０】
クリアガラスのように見えるが、伝統的なロウソクのように燃える、透明ゲルロウソクの重要性が高まっている。米国特許第５，８７９，６９４号で詳細に検討されているように（その関連部分は本明細書に参考として組み込まれる）、これらのゲルロウソクは、通常、ハード及びソフトセグメントを含有する熱力学的に不相溶なセグメントの少なくとも２個から伝統的に構成されるトリブロック、ラジカルブロック、ジブロック又はマルチブロックコポリマーからなる群より選択されるコポリマーを含有する。典型的なそのようなブロックコポリマーは、スチレンモノマー単位及びゴムモノマー又はコモノマー単位のブロックセグメントからなるKRATON（登録商標）（Shell Chemical社製）である。KRATON（登録商標）Ｄシリーズで見られる最も一般的な構造は、スチレン−ブタジエン−スチレン（ＳＢＳ）又はスチレン−イソプレン−スチレン（ＳＩＳ）を有する線状ＡＢＡブロックである。
【００３１】
更に、上記記載のような、アルコキシ基又はヒドロキシ置換アルコキシ基で置換されているヒンダードアミンの使用は、ＵＶ吸収剤が不在でも、ヒンダードアミンで安定化されたロウソクの蝋を使用して製作されたロウソクに、ロウソクが燃焼する間の望ましくないチャネリングの防止に関して優れた特性を供与する。ロウソクの燃焼特性の制御及び改質により、制御された方法で均一に燃焼し、制御不能及び不均一な燃焼によりローソクに起きる望ましくないキャビテーションを防止することになる。
【００３２】
下記の実施例は、説明する目的のみが意図され、本発明をいかようにも制限すると解釈するべきではない。
【００３３】
原材料
融点１３７〜１４１℃、油含有量＜０．５％の完全に精製されたワックスを、Astor Wax Companyから入手した。
【００３４】
染料は、French Color and Chemical Corporationから提供された。
【００３５】
追加のワックスサンプルは、Candle Lite Corporation of Americaから提供された。これらのサンプルは、赤色、緑色又は黄色染料及び香料を含有していた。
【００３６】
ＵＶ吸収剤及びヒンダードアミン安定剤は、Ciba Speciality Chemicals Corporationから入手した。
【００３７】
サンプルの調製
Candle Lite Corporation of Americaから入手したワックスサンプルは、既に染料及び香料（芳香）を含有していた。この場合、ワックスを溶融し、適切な安定剤を溶融ワックスに加え溶解した。次に安定化されたワックスを型（７"×８．５"×０．２５"；１７．７８cm×２１．５９cm×０．６３５cm）に注ぎ、ワックスプラークを得た。
【００３８】
Astor Wax Company から入手したワックスサンプルを溶融した後で、試験染料０．００１重量％を加え、染色ロウソクのワックスベースを得た。染色ワックスベースを溶融した後で、適切な安定剤を加えた。次に溶融した安定化染色ワックスを上記の型に注ぎ、ワックスプラークを得た。
【００３９】
サンプルの暴露
上記記載のワックスプラークを８個の同等の断片（３．５"×２．１２５"； ８．８９cm×５．４０cm）に切断した。試験サンプルはランプから１２インチ（３０．４８cm）下方にあり、６列の冷白蛍光灯（４０ワット）又は波長３６８nmを有する６列のＵＶランプで、それぞれ３個のサンプルを暴露した。
【００４０】
染色の退色（色変化）を、６インチ積分球を有するMacbeth ColorEye Spectrophotometerにより測定した。条件は、観測１０度、光源Ｄ６５及び監視角度８°であった。
【００４１】
上記のパラメータを使用して最初の色測定を実施した。反射率値からＣＩＥシステムを使用してＬ、ａ及びｂ値を計算した。Ｌ、ａ及びｂ値からＹｌを計算した。続いて測定を特定の間隔で実施した。デルタＬ、ａ、ｂ及びＹｌ値は、単に最初の値とそれぞれの間隔における値との差である。デルタ（Δ）Ｅは下記のように計算される。
〔（デルタＬ）2＋（デルタａ）2＋（デルタｂ）2〕1/2＝デルタＥ
【００４２】
【実施例】
実施例１
蛍光灯暴露下での無香ロウソクの蝋における赤色Ｎｏ．Ｃ−１５の退色
種々の異なる安定剤を蛍光灯暴露下、赤色Ｎｏ．Ｃ−１５を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ３日後 ６日後 ９日後
ブランク（添加なし）      2.35      5.58      8.69
Ａ（０．２％）            2.32      2.72      3.35
Ｂ（０．２％）            1.13      2.02      2.90
Ｃ（０．２％）            1.92      4.31      7.16
Ａ（０．１％）＋
Ｂ（０．１％）            0.27      0.55      0.75
Ａ（０．１％）＋
Ｃ（０．１％）            0.35      0.32      0.62
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
【００４３】
これらのデータは、化合物Ｃ（Ｎ原子においてアルコキシ基で置換されているヒンダードアミン）が、単独で使用された場合、従来のヒンダードアミンである化合物Ｂと同様にロウソクの蝋を安定化しないが、ベンゾトリアゾールＵＶ吸収剤と組み合わせて使用された場合、優れた安定化効果を提供することを示した。
【００４４】
実施例２
ＵＶランプ暴露下での無香ロウソクの蝋における赤色Ｎｏ．Ｃ−１５の退色
種々の異なる安定剤を波長３６８nmのＵＶランプ暴露下、赤色Ｎｏ．Ｃ−１５を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ３日後 １１日後 ４２日後
ブランク（添加なし）    12.99      32.85        33.42
Ａ（０．２％）           1.31       4.93        14.49
Ｃ（０．２％）           9.52      23.85        32.51
Ａ（０．１％）＋
Ｃ（０．１％）           1.12       3.12         7.48
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
【００４５】
これらにのデータは、化合物Ｃ（Ｎ原子においてアルコキシ基で置換されているヒンダードアミン）が、単独で使用された場合、従来のベンゾトリアゾールである化合物Ａと同様に赤色ロウソクの蝋を安定化しないが、ベンゾトリアゾールＵＶ吸収剤と組み合わせて使用された場合、いずれかの安定剤が単独で使用された場合よりも優れた安定化効果を提供することを示した。
【００４６】
実施例３
蛍光灯暴露下での無香ロウソクの蝋における黄色Ｎｏ．Ｃ−４７の退色
種々の異なる安定剤を蛍光灯暴露下、黄色Ｎｏ．Ｃ−４７を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ９日後 ２１日後 ４０日後
Ａ（０．２％）            0.60      0.76        3.32
Ｄ（０．２％）            0.46      0.71        1.41
Ｄ（０．１％）＋
Ｅ（０．１％）            0.40      0.76        1.85
Ｃ（０．２％）            0.74      0.71        1.20
Ａ（０．１％）＋
Ｃ（０．１％）            0.43      0.47        0.87
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００４７】
従来のベンゾトリアゾールである化合物ＡとＮ原子においてアルコキシ基で置換されているヒンダードアミンとの組み合わせが、同様の安定剤を単独で使用するよりもはるかに優れた保護を黄色染色無香ロウソクの蝋に供与した。
【００４８】
実施例４
ＵＶランプ暴露下での無香ロウソクの蝋における黄色Ｎｏ．Ｃ−４７の退色
種々の異なる安定剤を波長３６８nmのＵＶランプ暴露下、黄色Ｎｏ．Ｃ−４７を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ４１日後 ８０日後 １２１日後
ブランク（添加なし）      7.25      12.85        15.16
Ａ（０．２％）            5.25       9.35        11.06
Ｃ（０，２％）            2.62       5.48         6.64
Ａ（０．１％）＋
Ｂ（０．１％）            0.94       2.60         3.30
Ａ（０．１％）＋
Ｃ（０．１％）            1.31       2.18         2.53
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
【００４９】
これらのデータは、化合物Ｃ（Ｎ原子においてアルコキシ基で置換されているヒンダードアミン）と従来のベンゾトリアゾールＵＶ吸収剤との組み合わせが、従来のＵＶ吸収剤と従来のヒンダードアミンである化合物Ｂとの組み合わせよりも明らかに良好に無香ロウソクの蝋の黄色染料を保護することを示した。
【００５０】
実施例５
蛍光灯暴露下での無香ロウソクの蝋における青色Ｎｏ．Ｃ−１９の退色
種々の異なる安定剤を蛍光灯暴露下、青色Ｎｏ．Ｃ−１９を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ６日後 ２８日後 ５４日後
ブランク（添加なし）      9.74      42.51      44.00
Ａ（０．２％）            0.37       3.57      11.29
Ｄ（０．２％）            0.47       2.69       8.14
Ｃ（０．２％）            5.60      11.05      14.55
Ｄ（０．１％）＋
Ｅ（０．１％）            0.47       2.57       7.71
Ａ（０．１％）＋
Ｃ（０．１％）            0.32       2.23       4.12
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００５１】
従来のベンゾトリアゾールである化合物ＡとＮ原子においてアルコキシ基で置換されているヒンダードアミンとの組み合わせが、同様の安定剤を単独で使用するよりもはるかに優れた保護を青色染色無香ロウソクの蝋に供与した。
【００５２】
実施例６
ＵＶランプ暴露下での無香ロウソクの蝋における青色Ｎｏ．Ｃ−１９の退色
種々の異なる安定剤を波長３６８nmのＵＶランプ暴露下、青色Ｎｏ．Ｃ−１９を含有する無香ロウソクの蝋において評価した。ΔＥ値は指定日数の暴露後の色変化を表す。低いΔＥ値は小さい色変化を示し、極めて望ましい。
ΔＥ
サンプル*（添加wt%） ２日後 ２４日後 ４２日後
ブランク（添加なし）    12.54      26.87        26.86
Ａ（０．２％）           0.51       4.07         8.75
Ｄ（０．２％）           0.41       3.12         6.64
Ｃ（０．２％）           6.39      12.92        15.49
Ｄ（０．１％）＋
Ｅ（０．１％）           0.72       3.64         7.55
Ａ（０．１％）＋
Ｃ（０．１％）           0.73       2.96         4.27
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００５３】
従来のベンゾトリアゾールである化合物ＡとＮ原子においてアルコキシ基で置換されているヒンダードアミンとの組み合わせが、同様の安定剤を単独で使用するよりもはるかに優れた保護を青色染色無香ロウソクの蝋に供与した。
【００５４】
実施例７
蛍光灯暴露下での白色無香ロウソクの蝋の色変化
２−クロロ−４，６−ビス（ジブチルアミノ）−ｓ−トリアジンでエンドキャップされている、オクチル３−（ｐ−メトキシフェニル）−３−フェニル−α−シアノアクリラート０．２重量％と４，４′−ヘキサメチレンビス（アミノ−２，２，６，６−テトラメチルピペリジン）と２，４−ジクロロ−６−〔（１−シクロヘキシルオキシ−２，２，６，６−テトラメチルピペリジン−４−イル）ブチルアミノ〕−ｓ−トリアジンの縮合生成物であるオリゴマー化合物０．２重量％の組み合わせが、白色無香ロウソクの蝋を退色から良好に保護した。
【００５５】
実施例８
ＵＶランプ暴露下での白色無香ロウソクの蝋の色変化
ペンタエリトリチルテトラキス〔３，３−ジフェニル−α−シアノアクリラート〕０．２重量％と１−メトキシ−４−ヒドロキシ−２，２，６，６−テトラメチルピペリジン０．２重量％との組み合わせが、白色無香ロウソクの蝋を退色から良好に保護した。
【００５６】
実施例９
蛍光灯暴露下での黄色芳香ロウソクの蝋の色変化
種々の異なる安定剤を蛍光灯暴露下、Candle Lite Corporation of Americaから入手した黄色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ９日後 ２０日後 ２６日後
ブランク（添加なし）      6.15      9.41        9.27
Ａ（０．２％）            5.07      8.02        8.54
Ｄ（０．２％）            5.28      8.29        9.20
Ｅ（０．２％）            4.62      7.67        8.83
Ａ（０．１％）＋
Ｃ（０．１％）            4.43      7.37        8.20
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００５７】
これらのデータは、従来のベンゾトリアゾールＵＶ吸収剤とアルコキシ基で置換されているＮ原子を有するヒンダードアミンとの組み合わせが、ベンゾトリアゾール単独よりも優れた退色抵抗性を提供することを示した。
【００５８】
実施例１０
ＵＶランプ暴露下での黄色芳香ロウソクの蝋の色変化
種々の異なる安定剤を波長３６８nmのＵＶランプ暴露下、Candle Lite Corporation of Americaから入手した黄色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ７日後 １１日後 １５日後
ブランク（添加なし）      4.88      4.97        5.06
Ａ（０．２％）            3.16      3.54        4.33
Ｄ（０．２％）            3.56      4.06        5.05
Ｅ（０．２％）            4.57      5.41        5.92
Ｄ（０．１％）＋
Ｅ（０．１％）            3.96      4.50        5.35
Ａ（０．１％）＋
Ｃ（０．１％）            2.69      3.23        3.72
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００５９】
これらのデータは、従来のベンゾトリアゾールＵＶ吸収剤とアルコキシ基で置換されているＮ原子を有するヒンダードアミンとの組み合わせが、ベンゾトリアゾール単独よりも優れた退色抵抗性を提供することを示した。
【００６０】
実施例１１
ＵＶランプ暴露下での赤色芳香ロウソクの蝋の退色
種々の異なる安定剤を波長３６８nmのＵＶランプ暴露下、Candle Lite Corporation of Americaから入手した赤色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） １６日後 ３５日後 ５４日後
ブランク（添加なし）      21.54      50.82        52.51
Ａ（０．２％）             5.85       7.05         7.77
Ｄ（０．２％）             5.59       6.92         7.67
Ｅ（０．２％）             6.58      11.15        12.58
Ｄ（０．１％）＋
Ｅ（０．１％）             5.25       6.47         7.32
Ａ（０．１％）＋
Ｃ（０．１％）             4.56       5.22         5.46
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００６１】
これらのデータは、従来のベンゾトリアゾールＵＶ吸収剤とアルコキシ基で置換されているＮ原子を有するヒンダードアミンとの組み合わせが、ベンゾトリアゾールを単独で使用するよりも優れた退色抵抗性を提供することを示した。
【００６２】
実施例１２
蛍光灯暴露下での緑色芳香ロウソクの蝋の退色
種々の異なる安定剤を蛍光灯暴露下、Candle Lite Corporation of Americaから入手した緑色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ９日後 １４日後 ２６日後
ブランク（添加なし）      5.05      4.88        10.94
Ａ（０．２％）            2.92      2.66         7.13
Ｄ（０．２％）            3.23      2.64         7.42
Ｅ（０．２％）            2.82      2.55         7.76
Ｄ（０．１％）＋
Ｅ（０．１％）            2.46      1.94         6.15
Ａ（０．１％）＋
Ｂ（０．１％）            2.84      1.43         2.15
Ａ（０．１％）＋
Ｃ（０．１％）            2.42      0.95         1.93
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００６３】
これらのデータは、従来のベンゾトリアゾールＵＶ吸収剤とヒンダードアミンとの組み合わせが、特にヒンダードアミンがＮ原子においてアルコキシ基で置換されている場合、ベンゾトリアゾール単独よりも同じ合計濃度ではるかに良好な安定化効果を提供することを示した。
【００６４】
実施例１３
ＵＶランプ暴露下での緑色芳香ロウソクの蝋の退色
種々の異なる安定剤を波長３６８nmのＵＶランプ暴露下、Candle Lite Corporation of Americaから入手した緑色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ７日後 １７日後 ２５日後
ブランク（添加なし）    6.35        8.89        9.93
Ａ（０．２％）          0.26        1.34        1.94
Ｄ（０．２％）          0.73        2.11        2.86
Ｅ（０．２％）          4.17        7.39        8.73
Ｄ（０．１％）＋
Ｅ（０．１％）          1.64        3.45        4.48
Ａ（０．１％）＋
Ｃ（０．１％）          0.36        0.78        1.22
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００６５】
これらのデータは、従来のベンゾトリアゾールＵＶ吸収剤は、緑色芳香ロウソクの蝋を退色から保護することにおいてベンゾフェノンＵＶ吸収剤よりもはるかに優れているが、従来のベンゾトリアゾールＵＶ吸収剤とＮ原子においてアルコキシ基で置換されているヒンダードアミンとの組み合わせが退色に対してはるかに優れた安定性を提供することを示した。
【００６６】
実施例１４
蛍光灯暴露下での青色芳香ロウソクの蝋の退色
種々の異なる安定剤を蛍光灯暴露下、Candle Lite Corporation of Americaから入手した青色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ９日後 １４日後 ２６日後
ブランク（添加なし）      6.61      7.90        12.03
Ａ（０．２％）            5.40      6.23         8.50
Ｄ（０．２％）            4.69      5.61         7.90
Ｅ（０．２％）            4.76      4.93         7.60
Ｄ（０．１％）＋
Ｅ（０．１％）            4.60      5.14         7.62
Ａ（０．１％）＋
Ｃ（０．１％）            4.23      4.95         6.44
＊Ａは、オクチル３−（ベンゾトリアゾール−２−イル）−５−tert−ブチル−４−ヒドロキシヒドロシンナマート（TINUVIN（登録商標）384、CIBA社）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００６７】
これらのデータは、従来のベンゾトリアゾールＵＶ吸収剤とＮ原子においてアルコキシ基で置換されているヒンダードアミンとの組み合わせが、ＵＶ吸収剤単独よりも青色芳香ロウソクの蝋に優れた退色安定性を供与することを示した。
【００６８】
実施例１５
ＵＶランプ暴露下での青色芳香ロウソクの蝋の退色
種々の異なる安定剤を波長３６８nmのＵＶランプ暴露下、Candle Lite Corporation of Americaから入手した青色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） １６日後 ３６日後 ５４日後
ブランク（添加なし）      32.88        40.61      43.82
Ａ（０．２％）             8.86        13.58      16.05
Ｄ（０．２％）             8.30        14.76      18.75
Ｅ（０．２％）            15.20        19.49      22.94
Ｄ（０．１％）＋
Ｅ（０．１％）             9.42        15.80      19.53
Ａ（０．１％）＋
Ｂ（０．１％）             5.59         8.42       9.57
Ａ（０．１％）＋
Ｃ（０．１％）             5.89         7.19       8.03
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
【００６９】
これらのデータは、従来のＵＶ吸収剤とヒンダードアミンとの組み合わせが、ＵＶ吸収剤単独よりも著しく良好な保護を青色芳香ロウソクの蝋に供与することを示した。また、ヒンダードアミンがＮ原子においてアルコキシ基で置換されている場合、更に良好な安定化効果が達成された。
【００７０】
実施例１６
ジメチルｐ−メトキシベンジリデンマロナート（SANDUVOR（登録商標）PR 25）０．２重量％とビス（１−オクチルオキシ−２，２，６，６−テトラメチルピペリジン−４−イル）セバカート（TINUVIN（登録商標）123、CIBA社製）０．２重量％との組み合わせにより、実施例１２に記載の緑色芳香ロウソクの蝋を良好に安定化した。
【００７１】
実施例１７
ジ（１，２，２，６，６−ペンタメチルピペリジン−４−イル）ｐ−メトキシベンジリデンマロナート（SANDUVOR（登録商標）PR 31）０．１重量％と１−（２−ヒドロキシ−２−メチルプロポキシ）−４−オクタデカノイルオキシ−２，２，６，６−テトラメチルピペリジン０．１重量％との組み合わせにより、実施例１０に記載の黄色芳香ロウソクの蝋を良好に安定化した。
【００７２】
実施例１８
ジメチルジ（ｐ−クロロフェニル）メチレンマロナート０．１重量％とビス（１−（２−ヒドロキシ−２−メチルプロポキシ）−２，２，６，６−テトラメチルピペリジン−４−イル）グルタラート０．１重量％との組み合わせにより、実施例１に記載の赤色無香ロウソクの蝋を良好に安定化した。
【００７３】
実施例１９
ジメチルジ（ｐ−メトキシフェニル）メチレンマロナート０．２重量％とビス（１−（２−ヒドロキシ−２−メチルプロポキシ）−２，２，６，６−テトラメチルピペリジン−４−イル）スクシナート０．２重量％との組み合わせにより、実施例２に記載の赤色無香ロウソクの蝋を良好に安定化した。
【００７４】
実施例２０
４，４′−ジメトキシ−２，２′−ジヒドロキシベンゾフェノン０．１重量％とビス（１−オクチルオキシ−２，２，６，６−テトラメチルピペリジン−４−イル）セバカート（TINUVIN（登録商標）123、CIBA社製）０．１重量％との組み合わせにより、実施例１に記載の赤色無香ロウソクの蝋が良好に安定化された。
【００７５】
実施例２１
４−tert−ブチルフェニル２−ヒドロキシベンゾアート０．２重量％と２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン０．１重量％との組み合わせにより、実施例２に記載の赤色無香ロウソクの蝋が良好に安定化された。
【００７６】
実施例２２
２−エトキシ−２−エチルオキサニリド０．２重量％とビス（１−シクロヘキシルオキシ−２，２，６，６−テトラメチルピペリジン−４−イル）セバカート０．１重量％との組み合わせにより、実施例３に記載の黄色無香ロウソクの蝋を良好に安定化した。
【００７７】
実施例２３
３−ヒドロキシフェニルベンゾアート０．２重量％と１−シクロヘキシルオキシ−２，２，６，６−テトラメチル−４−オクタデシルアミノピペリジン０．２重量％との組み合わせにより、実施例４に記載の黄色無香ロウソクの蝋を良好に安定化した。
【００７８】
実施例２４
ドデシル３−フェニル−３−メチル−α−シアノアクリラート０．２重量％とビス（１−シクロヘキシルオキシ−２，２，６，６−テトラメチルピペリジン−４−イル）アジパート０．１重量％との組み合わせにより、実施例５に記載の青色無香ロウソクの蝋を良好に安定化した。
【００７９】
実施例２５
ドデシル３，３−ジフェニル−α−シアノアクリラート０．２重量％と、２−クロロ−４，６−ビス（ジブチルアミノ）−ｓ−トリアジンでエンドキャップされている４，４′−ヘキサメチレンビス（アミノ−２，２，６，６−テトラメチルピペリジン）と２，４−ジクロロ−６−〔（１−オクチルオキシ−２，２，６，６−テトラメチルピペリジン−４−イル）ブチルアミノ〕−ｓ−トリアジンの縮合生成物であるオリゴマー化合物０．２重量％の組み合わせにより、実施例６に記載の青色無香ロウソクの蝋を良好に安定化した。
【００８０】
実施例２６
２−｛２−ヒドロキシ−３−tert−ブチル−５−〔２−（オメガ−ヒドロキシ−オクタ（エチレンオキシ）カルボニル）エチル〕フェニル｝−２Ｈ−ベンゾトリアゾール（TINUVIN（登録商標）1130、CIBA社製）０．２重量％と１−オクチルオキシ−４−ヒドロキシ−２，２，６，６−テトラメチルピペリジンとの組み合わせにより、実施例９に記載の黄色芳香ロウソクの蝋を良好に安定化した。
【００８１】
実施例２７
２−〔２−ヒドロキシ−３−（α，α−ジメチルベンジル）−５−tert−オクチルフェニル〕−２Ｈ−ベンゾトリアゾール（TINUVIN（登録商標）928、CIBA社製）０．１重量％と１−シクロヘキシルオキシ−４−ヒドロキシ−２，２，６，６−テトラメチルピペリジン０．２重量％との組み合わせにより、実施例１０に記載の黄色芳香ロウソクの蝋を良好に安定化した。
【００８２】
実施例２８
５−クロロ−２−（２−ヒドロキシ−３−tert−ブチル−５−メチルフェニル）−２Ｈ−ベンゾトリアゾール（TINUVIN（登録商標）326、CIBA社製）０．１重量％と１−シクロヘキシルオキシ−４−オキソ−２，２，６，６−テトラメチルピペリジン０．１重量％との組み合わせにより、実施例１１に記載の赤色芳香ロウソクの蝋を良好に安定化した。
【００８３】
実施例２９
オクチル３−（ベンゾトリアゾール−２−イル）−５−tert−ブチル−４−ヒドロキシヒドロシンナマート（TINUVIN（登録商標）384、CIBA社製）０．１重量％と１−オクチルオキシ−４−オキソ−２，２，６，６−テトラメチルピペリジン０．１重量％との組み合わせにより、実施例１２に記載の緑色芳香ロウソクの蝋を良好に安定化した。
【００８４】
実施例３０
オクチル３−（ベンゾトリアゾール−２−イル）−５−tert−ブチル−４−ヒドロキシヒドロシンナマート（TINUVIN（登録商標）384、CIBA社製）０．１重量％と１−（２−ヒドロキシ−２−メチルプロポキシ）−４−オクタデカノイルオキシ−２，２，６，６−テトラメチルピペリジン０．１重量％との組み合わせにより、実施例１３に記載の緑色芳香ロウソクの蝋を良好に安定化した。
【００８５】
実施例３１
２−（２−ヒドロキシ−５−tert−オクチルフェニル）−２Ｈ−ベンゾトリアゾール（TINUVIN（登録商標）329）０．１重量％と１−（２−ヒドロキシ−２−メチルプロポキシ）−４−ヒドロキシ−２，２，６，６−テトラメチルピペリジン０．１重量％との組み合わせにより、実施例１４に記載の青色芳香ロウソクの蝋を良好に安定化した。
【００８６】
実施例３２
４−オクチルオキシ−２−ヒドロキシベンゾフェノン０．２重量％と１−（２−ヒドロキシ−２−メチルプロポキシ）−４−オキソ−２，２，６，６−テトラメチルピペリジン０．１重量％との組み合わせにより、実施例１５に記載の青色芳香ロウソクの蝋を良好に安定化した。
【００８７】
実施例３３
２−エチルヘキシルｐ−メトキシシンナマート０．２重量％とビス（１−（２−ヒドロキシ−２−メチルプロポキシ）−２，２，６，６−テトラメチルピペリジン−４−イル）セバカート０．１重量％との組み合わせにより、実施例１に記載の赤色無香ロウソクの蝋を良好に安定化した。
【００８８】
実施例３４
４，４′−ジメトキシ−２，２′−ジヒドロキシベンゾフェノン０．１重量％とビス（１−（２−ヒドロキシ−２−メチルプロポキシ）−２，２，６，６−テトラメチルピペリジン−４−イル）アジパート０．１重量％との組み合わせにより、実施例２に記載の赤色無香ロウソクの蝋を良好に安定化した。
【００８９】
実施例３５
２−エトキシ−２′−エチル−５，４′−ジ−tert−ブチルオキサニリド０．１重量％とビス（１−（２−ヒドロキシ−２−メチルプロポキシ）−２，２，６，６−テトラメチルピペリジン−４−イル）スクシナート０．１重量％との組み合わせにより、実施例３に記載の黄色無香ロウソクの蝋を良好に安定化した。
【００９０】
実施例３６
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％とビス（１−オクチルオキシ−２，２，６，６−テトラメチルピペリジン−４−イル）セバカート（TINUVIN（登録商標）123、CIBA社製）０．１重量％との組み合わせにより、実施例４に記載の黄色無香ロウソクの蝋を良好に安定化した。
【００９１】
実施例３７
２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジン０．１重量％と２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン０．１重量％との組み合わせにより、実施例１４に記載の青色芳香ロウソクの蝋を良好に安定化した。
【００９２】
実施例３８
２，４−ビス（２，４−ジメチルフェニル）−６−（２−ヒドロキシ−４−オクチルフェニル）−ｓ−トリアジン０．２重量％と１−（２−ヒドロキシ−２−メチルプロポキシ）−４−オクタデカノイルオキシ−２，２，６，６−テトラメチルピペリジン０．１重量％との組み合わせにより、実施例５に記載の青色無香ロウソクの蝋を良好に安定化した。
【００９３】
実施例３９
２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）０．１重量％とビス（１−（２−ヒドロキシ−２−メチルプロポキシ）−２，２，６，６−テトラメチルピペリジン−４−イル）セバカート０．１重量％との組み合わせにより、実施例６に記載の青色無香ロウソクの蝋を良好に安定化した。
【００９４】
実施例４０
４−tert−オクチルフェニル２−ヒドロキシベンゾアート０．１重量％とビス（１−（２−ヒドロキシ−２−メチルプロポキシ）−２，２，６，６−テトラメチルピペリジン−４−イル）アジパートとの組み合わせにより、実施例７に記載の白色無香ロウソクの蝋を良好に安定化した。
【００９５】
実施例４１
３−ヒドロキシフェニルベンゾアート０．１重量％とビス（１−（２−ヒドロキシ−２−メチルプロポキシ）−２，２，６，６−テトラメチルピペリジン−４−イル）スクシナート０．１重量％との組み合わせにより、実施例８に記載の白色無香ロウソクの蝋を良好に安定化した。
【００９６】
実施例４２
ドデシル３，３−ジフェニル−α−シアノアクリラート０．１重量％とビス（１−（２−ヒドロキシ−２−メチルプロポキシ）−２，２，６，６−テトラメチルピペリジン−４−イル）グルタラート０．１重量％との組み合わせにより、実施例９に記載の黄色芳香ロウソクの蝋を良好に安定化した。
【００９７】
実施例４３
ペンタエリトリチルテトラキス〔３，３−ジフェニル−α−シアノアクリラート〕０．１重量％と２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジン０．２重量％との組み合わせにより、実施例１０に記載の黄色芳香ロウソクの蝋を良好に安定化した。
【００９８】
実施例４４
オクチル３−（ｐ−メトキシフェニル）−３−フェニル−α−シアノアクリラート０．２重量％と１−（２−ヒドロキシ−２−メチルプロポキシ）−４−オクタデカノイルオキシ−２，２，６，６−テトラメチルピペリジン０．２重量％との組み合わせにより、実施例１１に記載の赤色芳香ロウソクの蝋を良好に安定化した。
【００９９】
実施例４５
蛍光灯暴露下でのピンク色芳香ロウソクの蝋の退色
種々の異なる安定剤を蛍光灯暴露下、Candle-Lite Corporationから入手したピンク色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ３０日後
ブランク（添加なし）      14.47
Ａ（０．３％）            10.47
Ｄ（０．１５％）＋
Ｅ（０．１５％）           8.93
Ａ（０．１５％）＋
Ｃ（０．１５％）           5.72
Ｃ（０．３％）            14.05
Ｆ（０．１５％）＋
Ｇ（０．１５％）           3.90
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｆは、１−（２−ヒドロキシ−２−メチルプロポキシ）−４−オクタデカノイルオキシ−２，２，６，６−テトラメチルピペリジンである。
Ｇは、４，４′−ジメトキシ−２，２′−ジヒドロキシベンゾフェノンである。
【０１００】
これらのデータは、Ｎ原子においてアルコキシ基で置換されているヒンダードアミン（化合物Ｃ）又はヒドロキシ置換アルコキシ基で置換されているヒンダードアミン（化合物Ｆ）がＵＶ吸収剤と組み合わされて、従来のＵＶ吸収剤よりもはるかに良好にピンク色芳香ロウソクの蝋を保護することを示した。
【０１０１】
実施例４６
ＵＶランプ暴露下でのピンク色芳香ロウソクの蝋の退色
種々の異なる安定剤をＵＶランプ暴露下、Candle-Lite Corporationから入手したピンク色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ３２日後
ブランク（添加なし）      21.10
Ｄ（０．１５％）＋
Ｅ（０．１５％）          11.15
Ａ（０．１５％）＋
Ｂ（０．１５％）           9.84
Ｂ（０．３％）            16.24
Ｆ（０．１５％）＋
Ｇ（０．１５％）           6.19
Ｆ（０．１５％）＋
Ａ（０．１５％）           7.84
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｆは、１−（２−ヒドロキシ−２−メチルプロポキシ）−４−オクタデカノイルオキシ−２，２，６，６−テトラメチルピペリジンである。
Ｇは、４，４′−ジメトキシ−２，２′−ジヒドロキシベンゾフェノンである。
【０１０２】
これらのデータは、Ｎ原子においてヒドロキシ置換アルコキシ基で置換されているヒンダードアミン（化合物Ｆ）がＵＶ吸収剤と組み合わされて、従来のＵＶ吸収剤よりもはるかに良好にピンク色芳香ロウソクの蝋を保護することを示した。
【０１０３】
実施例４７
蛍光灯暴露下での白色芳香ロウソクの蝋の退色
種々の異なる安定剤を蛍光灯暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２８日後
ブランク（添加なし）      34.05
Ｂ（０．３％）            31.20
Ａ（０．１５％）＋
Ｂ（０．１５％）          29.49
Ｂ（０．１５％）＋
Ｄ（０．１５％）          24.23
Ｄ（０．１５％）＋
Ｅ（０．１５％）          20.10
Ｆ（０．１５％）＋
Ｈ（０．１５％）          16.05
Ｆ（０．１５％）＋
Ｉ（０．１５％）          15.04
Ｆ（０．１５％）＋
Ｅ（０．１５％）          12.19
Ｆ（０．１５％）＋
Ａ（０．１５％）          10.48
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｆは、１−（２−ヒドロキシ−２−メチルプロポキシ）−４−オクタデカノイルオキシ−２，２，６，６−テトラメチルピペリジンである。
Ｈは、２，４−ビス（２，４−ジメチルフェニル）−６−〔２−ヒドロキシ−４−（３−ド−／トリ−デシルオキシ−２−ヒドロキシプロポキシ）フェニル〕−ｓ−トリアジン（TINUVIN（登録商標）400、CIBA社製）である。
Ｉは、２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジンである。
【０１０４】
これらのデータは、Ｎ原子においてヒドロキシ置換アルコキシ基で置換されているヒンダードアミン（化合物Ｆ）がＵＶ吸収剤と組み合わされて、従来のＵＶ吸収剤よりもはるかに良好に白色芳香ロウソクの蝋を保護することを示した。
【０１０５】
実施例４８
ＵＶランプ暴露下での白色芳香ロウソクの蝋の退色
種々の異なる安定剤をＵＶランプ暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２５日後
ブランク（添加なし）      45.09
Ｂ（０．３％）            32.03
Ａ（０．３％）            25.50
Ａ（０．１５％）＋
Ｂ（０．１５％）          29.74
Ｄ（０．１５％）＋
Ｅ（０．１５％）          30.11
Ｆ（０．１５％）＋
Ａ（０．１５％）          13.97
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｆは、１−（２−ヒドロキシ−２−メチルプロポキシ）−４−オクタデカノイルオキシ−２，２，６，６−テトラメチルピペリジンである。
【０１０６】
これらのデータは、Ｎ原子においてヒドロキシ置換アルコキシ基で置換されているヒンダードアミン（化合物Ｆ）がＵＶ吸収剤と組み合わされて、従来のＵＶ吸収剤よりもはるかに良好に白色芳香ロウソクの蝋を保護することを示した。
【０１０７】
次の４つの実施例は、ｓ−トリアジンＵＶ吸収剤をＮ原子においてアルコキシ又はヒドロキシ置換アルコキシ基で置換されているヒンダードアミンと共に使用することを示す。
【０１０８】
実施例４９
ＵＶランプ暴露下でのピンク色芳香ロウソクの蝋の退色
種々の異なる安定剤をＵＶランプ暴露下、Candle-Lite Corporationから入手したピンク色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ３２日後
ブランク（添加なし）      21.10
Ｂ（０．３％）            16.24
Ｄ（０．１５％）＋
Ｅ（０．１５％）          11.15
Ａ（０．１５％）＋
Ｂ（０．１５％）           9.84
Ｊ（０．１５％）＋
Ｃ（０．１５％）           7.50
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｊは、塩基の存在下、２，４，６−トリス（２，４−ジヒドロキシフェニル）−ｓ−トリアジンをイソオクチルα−ブロモプロピオナートと反応させて調製した化合物である。
【０１０９】
これらのデータは、Ｎ原子においてアルコキシ基で置換されているヒンダードアミン（化合物Ｃ）がｓ−トリアジンＵＶ吸収剤と組み合わされて、従来のＵＶ吸収剤よりもはるかに良好にピンク色芳香ロウソクの蝋を保護することを示した。
【０１１０】
実施例５０
ＵＶランプ暴露下での灰色芳香ロウソクの蝋の退色
種々の異なる安定剤をＵＶランプ暴露下、Candle-Lite Corporationから入手した灰色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２３日後
ブランク（添加なし）      30.07
Ｃ（０．３％）            25.70
Ｄ（０．１５％）＋
Ｅ（０．１５％）          10.96
Ａ（０．３％）             9.14
Ａ（０．１５％）＋
Ｃ（０．１５％）           5.11
Ｊ（０．１５％）＋
Ｃ（０．１５％）           4.57
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｊは、塩基の存在下、２，４，６−トリス（２，４−ジヒドロキシフェニル）−ｓ−トリアジンをイソオクチルα−ブロモプロピオナートと反応させて調製した化合物である。
【０１１１】
これらのデータは、Ｎ原子においてアルコキシ基で置換されているヒンダードアミン（化合物Ｃ）がｓ−トリアジンＵＶ吸収剤と組み合わされて、従来のＵＶ吸収剤よりもはるかに良好に灰色芳香ロウソクの蝋を保護することを示した。
【０１１２】
実施例５１
蛍光灯暴露下での白色芳香ロウソクの蝋の退色
種々の異なる安定剤を蛍光灯暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２８日後
ブランク（添加なし）      34.05
Ｂ（０．３％）            31.20
Ａ（０．３％）            30.28
Ａ（０．１５％）＋
Ｂ（０．１５％）          29.49
Ｂ（０．１５％）＋
Ｄ（０．１５％）          24.23
Ｄ（０．１５％）＋
Ｅ（０．１５％）          20.10
Ｊ（０．１５％）＋
Ｃ（０．１５％）          13.80
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｊは、塩基の存在下、２，４，６−トリス（２，４−ジヒドロキシフェニル）−ｓ−トリアジンをイソオクチルα−ブロモプロピオナートと反応させて調製した化合物である。
【０１１３】
これらのデータは、Ｎ原子においてアルコキシ基で置換されているヒンダードアミン（化合物Ｃ）がｓ−トリアジンＵＶ吸収剤と組み合わされて、従来のＵＶ吸収剤よりもはるかに良好に白色芳香ロウソクの蝋を保護することを示した。
【０１１４】
実施例５２
ＵＶランプ暴露下での白色芳香ロウソクの蝋の退色
種々の異なる安定剤をＵＶランプ暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２５日後
ブランク（添加なし）      45.09
Ｃ（０．３％）            36.32
Ｂ（０．３％）            32.03
Ａ（０．３％）            25.50
Ａ（０．１５％）＋
Ｂ（０．１５％）          29.74
Ｄ（０．１５％）＋
Ｅ（０．１５％）          30.11
Ｊ（０．１５％）＋
Ｃ（０．１５％）          13.30
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｊは、塩基の存在下、２，４，６−トリス（２，４−ジヒドロキシフェニル）−ｓ−トリアジンをイソオクチルα−ブロモプロピオナートと反応させて調製した化合物である。
【０１１５】
これらのデータは、Ｎ原子においてアルコキシ基で置換されているヒンダードアミン（化合物Ｃ）がｓ−トリアジンＵＶ吸収剤と組み合わされて、従来のＵＶ吸収剤よりもはるかに良好に白色芳香ロウソクの蝋を保護することを示した。
【０１１６】
次の６つの実施例は、種々のＵＶ吸収剤をＮ原子においてアルコキシ又はシクロアルコキシ基で置換されているブロックオリゴマー又は他のヒンダードアミンと共に使用することを示す。
【０１１７】
実施例５３
蛍光灯暴露下でのピンク色芳香ロウソクの蝋の退色
種々の異なる安定剤を蛍光灯暴露下、Candle-Lite Corporationから入手したピンク色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ３０日後
ブランク（添加なし）      14.47
Ｂ（０．３％）            10.00
Ｄ（０．１５％）＋
Ｅ（０．１５％）           8.93
Ｂ（０．１５％）＋
Ｄ（０．１５％）           3.42
Ｋ（０．１５％）＋
Ｌ（０．１５％）           2.14
Ｍ（０．１５％）＋
Ｅ（０．１５％）           1.39
＊Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｋは、WO 98/54175の実施例１に従って調製したヒンダードアミンである。
Ｌは、２，４−ビス（ビフェニル−４−イル）−６−（２−ヒドロキシ−４−オクチルオキシフェニル）−ｓ−トリアジンである。
Ｍは、米国特許第５，８４４，０２６号の実施例４に従って調製した化合物である。
【０１１８】
これらのデータは、Ｎ原子においてシクロアルコキシ基で置換されているヒンダードアミン（化合物Ｋ又はＭ）がＵＶ吸収剤と組み合わされて、従来のＵＶ吸収剤よりもはるかに良好にピンク色芳香ロウソクの蝋を保護することを示した。
【０１１９】
実施例５４
ＵＶランプ暴露下でのピンク色芳香ロウソクの蝋の退色
種々の異なる安定剤をＵＶランプ暴露下、Candle-Lite Corporationから入手したピンク色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ３２日後
ブランク（添加なし）      21.10
Ｂ（０．３％）            16.24
Ｄ（０．１５％）＋
Ｅ（０．１５％）          11.15
Ａ（０．１５％）＋
Ｂ（０．１５％）           9.84
Ｎ（０．１５％）＋
Ｉ（０．１５％）           7.10
Ｍ（０．１５％）＋
Ｅ（０．１５％）           6.76
Ｐ（０．１５％）＋
Ｏ（０．１５％）           4.85
Ｋ（０．１５％）＋
Ｌ（０．１５％）           3.93
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｉは、２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジンである。
Ｋは、WO 98/54175の実施例１に従って調製したヒンダードアミンである。
Ｌは、２，４−ビス（ビフェニル−４−イル）−６−（２−ヒドロキシ−４−オクチルオキシフェニル）−ｓ−トリアジンである。
Ｍは、米国特許第５，８４４，０２６号の実施例４に従って調製した化合物である。
Ｎは、WO 98/54175の実施例４に従って調製したヒンダードアミンである。
Ｏは、５−クロロ−２−（２−ヒドロキシ−３−α−クミル−５−tert−オクチルフェニル）−２Ｈ−ベンゾトリアゾールである。
Ｐは、WO 98/54177の実施例１に従って調製したヒンダードアミンである。
【０１２０】
これらのデータは、Ｎ原子においてアルコキシ又はシクロアルコキシ基で置換されているヒンダードアミン（化合物Ｋ、Ｍ又はＮ）がＵＶ吸収剤と組み合わされて、従来のＵＶ吸収剤よりもはるかに良好にピンク色芳香ロウソクの蝋を保護することを示した。
【０１２１】
実施例５５
蛍光灯暴露下での灰色芳香ロウソクの蝋の退色
種々の異なる安定剤を蛍光灯暴露下、Candle-Lite Corporationから入手した灰色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２９日後
ブランク（添加なし）      15.72
Ｃ（０．３％）            11.57
Ａ（０．３％）             9.88
Ｄ（０．１５％）＋
Ｅ（０．１５％）           8.01
Ａ（０．１５％）＋
Ｃ（０．１５％）           3.20
Ｋ（０．１５％）＋
Ｌ（０．１５％）           2.54
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｋは、WO 98/54175の実施例１に従って調製したヒンダードアミンである。
Ｌは、２，４−ビス（ビフェニル−４−イル）−６−（２−ヒドロキシ−４−オクチルオキシフェニル）−ｓ−トリアジンである。
【０１２２】
これらのデータは、Ｎ原子においてアルコキシ基で置換されているヒンダードアミン（化合物Ｋ）がｓ−トリアジンＵＶ吸収剤と組み合わされて、従来のＵＶ吸収剤よりもはるかに良好に灰色芳香ロウソクの蝋を保護することを示した。
【０１２３】
実施例５６
ＵＶランプ暴露下での灰色芳香ロウソクの蝋の退色
種々の異なる安定剤をＵＶランプ暴露下、Candle-Lite Corporationから入手した灰色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２３日後
ブランク（添加なし）      30.07
Ｃ（０．３％）            25.70
Ａ（０．３％）             9.14
Ｄ（０．１５％）＋
Ｅ（０．１５％）          10.96
Ａ（０．１５％）＋
Ｃ（０．１５％）           5.11
Ｋ（０．１５％）＋
Ｌ（０．１５％）           3.50
Ｐ（０．１５％）＋
Ｏ（０．１５％）           3.93
＊Ａは、オクチル３−（ベンゾトリアゾール−２−イル）−５−tert−ブチル−４−ヒドロキシヒドロシンナマート（TINUVIN（登録商標）384、CIBA社製）である。
Ｃは、ビス（１−オクチルオキシ−２，２，６，６−テトラメチルピペリジン−４−イル）セバカート（TINUVIN（登録商標）123、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｋは、WO 98/54175の実施例１に従って調製したヒンダードアミンである。
Ｌは、２，４−ビス（ビフェニル−４−イル）−６−（２−ヒドロキシ−４−オクチルオキシフェニル）−ｓ−トリアジンである。
Ｏは、５−クロロ−２−（２−ヒドロキシ−３−α−クミル−５−tert−オクチルフェニル）−２Ｈ−ベンゾトリアゾールである。
Ｐは、WO 98/54177の実施例１に従って調製した化合物である。
【０１２４】
これらのデータは、Ｎ原子においてシクロアルコキシ基で置換されているヒンダードアミン（化合物Ｋ又はＰ）がＵＶ吸収剤と組み合わされて、従来のＵＶ吸収剤よりもはるかに良好に灰色芳香ロウソクの蝋を保護することを示した。
【０１２５】
実施例５７
蛍光灯暴露下での白色芳香ロウソクの蝋の退色
種々の異なる安定剤を蛍光灯暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２８日後
ブランク（添加なし）      34.05
Ｂ（０．３％）            31.20
Ａ（０．１５％）＋
Ｂ（０．１５％）          29.49
Ｂ（０．１５％）＋
Ｄ（０．１５％）          24.23
Ｄ（０．１５％）＋
Ｅ（０．１５％）          20.10
Ｎ（０．１５％）＋
Ｉ（０．１５％）          15.46
Ｋ（０．１５％）＋
Ｉ（０．１５％）          14.02
Ｍ（０．１５％）＋
Ｅ（０．１５％）          14.79
Ｐ（０．１５％）＋
Ｏ（０．１５％）           9.44
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｉは、２，４−ビス（２，４−ジメチルフェニル）−６−〔２−ヒドロキシ−４−（３−ド−／トリ−デシルオキシ−２−ヒドロキシプロポキシ）−５−α−クミルフェニル〕−ｓ−トリアジンである。
Ｋは、WO 98/54175の実施例１に従って調製したヒンダードアミンである。
Ｍは、米国特許第５，８４４，０２６号の実施例４に従って調製した化合物である。
Ｎは、WO 98/54175の実施例４に従って調製したヒンダードアミンである。
Ｏは、５−クロロ−２−（２−ヒドロキシ−３−α−クミル−５−tert−オクチルフェニル）−２Ｈ−ベンゾトリアゾールである。
Ｐは、WO 98/54177の実施例１に従って調製した化合物である。
【０１２６】
これらのデータは、Ｎ原子においてシクロアルコキシ基で置換されているヒンダードアミン（化合物Ｐ）がＵＶ吸収剤と組み合わされて、従来のＵＶ吸収剤よりもはるかに良好に白色芳香ロウソクの蝋を保護することを示した。
【０１２７】
実施例５８
ＵＶランプ暴露下での白色芳香ロウソクの蝋の退色
種々の異なる安定剤をＵＶランプ暴露下、Candle-Lite Corporationから入手した白色芳香ロウソクの蝋において評価した。ΔＥ値は指定日数の暴露後の色変化を表す。低いΔＥ値は小さい色変化を示し、極めて望ましい。
ΔＥ
サンプル*（添加wt%） ２５日後
ブランク（添加なし）      45.09
Ｂ（０．３％）            32.03
Ａ（０．３％）            25.50
Ａ（０．１５％）＋
Ｂ（０．１５％）          29.74
Ｄ（０．１５％）＋
Ｅ（０．１５％）          30.11
Ｐ（０．１５％）＋
Ｏ（０．１５％）          11.54
＊Ａは、オクチル３−（ベンゾトリアゾール−２−イル）−５−tert−ブチル−４−ヒドロキシヒドロシンナマート（TINUVIN（登録商標）384、CIBA社製）である。
Ｂは、ビス（１，２，２，６，６−ペンタメチルピペリジン−４−イル）セバカート（TINUVIN（登録商標）292、CIBA社製）である。
Ｄは、２−（２−ヒドロキシ−５−tert−オクチルフェニル）−２Ｈ−ベンゾトリアゾール（TINUVIN（登録商標）329、CIBA社製）である。
Ｅは、４−オクチルオキシ−２−ヒドロキシベンゾフェノン（CHIMASSORB（登録商標）81、CIBA社製）である。
Ｏは、５−クロロ−２−（２−ヒドロキシ−３−α−クミル−５−tert−オクチルフェニル）−２Ｈ−ベンゾトリアゾールである。
Ｐは、WO 98/54177の実施例１に従って調製した化合物である。
【０１２８】
これらのデータは、Ｎ原子においてシクロアルコキシ基で置換されているヒンダードアミン（化合物Ｐ）がＵＶ吸収剤と組み合わされて、従来のＵＶ吸収剤よりもはるかに良好に白色芳香ロウソクの蝋を保護することを示した。